(57)【要約】通信フィールド（ＨＦ）内の全データキャリア（２、３、４）を識別するために、読取部（１）による衝突防止方法の実行中に、どのデータキャリア（２、３、４）も応答しない、あるいは、データキャリア（２、３、４）からの複数の応答の衝突が発生しているタイムスロット（Ｓ）を短縮するために、タイムスロット進行情報（ＺＷＩ）が読取部（１）によって送信される。タイムスロット進行情報（ＺＷＩ）は、現行タイムスロット（Ｓ）の後の次のタイムスロットを識別するタイムスロット番号（ＺＮ）を含む。
2005534250.tif 000002
【特許請求の範囲】
【請求項１】
読取部の通信フィールドに配置されるデータキャリアを識別するための衝突防止方法であって、
該方法は、
前記読取部から前記通信フィールドに配置されるすべてのデータキャリアへ問合せ情報を送信し、その結果として、Ｎ個の量の連続するタイムスロットの始まりを決定するステップと、
前記データキャリアから前記読取部へ応答情報を送信し、各データキャリアは、前記Ｎ個のタイムスロットのうち１つを選択して、当該データキャリアを識別する前記応答情報を送信するステップと、
現行のタイムスロットから次に続くタイムスロットへの進行に関して、タイムスロット進行情報を、前記読取部から前記データキャリアへと送信するステップとを備え、
該タイムスロット進行情報はタイムスロット特徴情報を含み、
該タイムスロット特徴情報は前記Ｎ個のタイムスロットのうちの１つを識別するとともに、各場面において前記現行タイムスロットを確定するために前記データキャリアによって評価されることを特徴とする衝突防止方法。
【請求項２】
前記現行タイムスロットが、前記データキャリアの１つを識別することが不適切であると読取部が確定した場合に、前記タイムスロット進行情報が前記読取部によって送信されることを特徴とする請求項１に記載の衝突防止方法。
【請求項３】
前記タイムスロット特徴情報が２つのパルスによって形成され、該２つのパルスの間のパルス間隔の期間がＮ個のタイムスロットのうちの１つを識別することを特徴とする請求項１に記載の衝突防止方法。
【請求項４】
前記タイムスロット特徴情報が、連続するタイムスロット番号を識別する複数のパルスによって形成されていることを特徴とする請求項１に記載の衝突防止方法。
【請求項５】
前記タイムスロット特徴情報が、前記タイムスロット番号のチェックサムを含むことを特徴とする請求項４に記載の衝突防止方法。
【請求項６】
前記現行タイムスロットにおいて前記データキャリアの２つ以上が応答していることを前記読取部が確定した場合、あるいは、前記現行タイムスロットにおいて前記データキャリアのいずれも応答していないことを前記読取部が確定した場合に、前記読取部が前記タイムスロット進行情報を送信することを特徴とする請求項１に記載の衝突防止方法。
【請求項７】
読取部から受け取った問合せ情報に対して、Ｎ個のタイムスロットのうちの１つのタイムスロット間にデータキャリアを識別する応答情報で応答するデータキャリアであって、
前記読取部から前記問合せ情報とタイムスロット進行情報を受信する受信手段と、
前記問合せ情報を受信した時点の機能として前記Ｎ個のタイムスロットの順序を決定するように設計されたタイムスロット決定手段とを含み、
前記タイムスロット進行情報の受信時に、現行タイムスロットから次に続くタイムスロットへの進行が生じ、
前記データキャリアが前記読取部に前記応答情報を送信するリターンタイムスロットとして、前記Ｎ個のタイムスロットの１つを決定する送信決定手段と、
前記読取部に前記応答情報を送信する送信手段とを含み、
前記タイムスロット進行情報が前記Ｎ個のタイムスロットの１つを識別するタイムスロット特徴情報を含み、前記タイムスロット決定手段は、各場面において現行タイムスロットを決定するために前記タイムスロット特徴情報を評価するように設計されていることを特徴とするデータキャリア。
【請求項８】
前記タイムスロット決定手段が、該タイムスロット特徴情報の２つのパルスの間のパルス間隔の期間を決定するように設計されているカウンタを含むことを特徴とする請求項７に記載のデータキャリア。
【請求項９】
前記タイムスロット決定手段は、前記タイムスロット特徴情報の複数のパルスを評価するように設計され、該パルスが、連続タイムスロット番号を識別することを特徴とする請求項７に記載のデータキャリア。
【請求項１０】
前記タイムスロット決定手段は、前記タイムスロット特徴情報に含まれる前記タイムスロット番号のチェックサムを評価するように設計されることを特徴とする請求項９に記載のデータキャリア。
【請求項１１】
読取部の通信フィールドに配置されるデータキャリアを識別する読取部であって、
前記通信フィールドに配置されるすべてのデータキャリアに問合せ情報及びタイムスロット進行情報を送信する送信手段を含み、
前記問合せ情報の結果として、Ｎ個の量の連続するタイムスロットの始まりが決定され、
前記タイムスロット進行情報の結果として、現行タイムスロットから次に続くタイムスロットへの進行が生じ、
前記通信フィールド内のデータキャリアから応答情報を受信する受信手段を含み、
各データキャリアが前記Ｎ個のタイムスロットの１つをリターンタイムスロットとして個々に選択して、データキャリアを識別する応答情報を送信し、
前記特定のタイムスロットにおいて、前記データキャリアから受信した応答情報を評価するタイムスロット評価手段を含み、
前記読取部は、タイムスロット特徴情報を含むタイムスロット進行情報を送信するように設計され、
前記タイムスロット特徴情報は、前記Ｎ個のタイムスロットの１つを識別し、かつ、各場面において、現行タイムスロットを確定するために前記データキャリアによって評価されることを特徴とする読取部。
【請求項１２】
前記現行タイムスロットが前記データキャリアの１つを識別することが不適切であることを前記タイムスロット評価手段が確定した場合に、前記送信手段は、前記タイムスロット進行情報を送信するように設計されていることを特徴とする請求項１１に記載の読取部。
【請求項１３】
前記タイムスロット特徴情報は２つのパルスによって形成され、該２つのパルスの間のパルス間隔の期間が前記Ｎ個のタイムスロットの１つを識別することを特徴とする請求項１１に記載の読取部。
【請求項１４】
前記タイムスロット特徴情報は、連続するタイムスロット番号を識別する複数のパルスによって形成されることを特徴とする請求項１１に記載の読取部。
【請求項１５】
前記タイムスロット特徴情報は、前記タイムスロット番号のチェックサムを含むことを特徴とする請求項１４に記載の読取部。
【請求項１６】
前記データキャリアの２つ以上が前記現行タイムスロットにおいて応答していることを前記タイムスロット評価手段が確定した場合、あるいは、前記データキャリアのいずれも前記現行タイムスロットにおいて応答していないことを前記タイムスロット評価手段が確定した場合に、前記読取部は前記タイムスロット進行情報を送信することを特徴とする請求項１１に記載の読取部。
【発明の詳細な説明】
【技術分野】
【０００１】
本発明は、読取部の通信フィールドに配置されたデータキャリアを識別するための衝突防止方法に関し、該方法は以下のステップを含む。
読取部から通信フィールドに配置されるすべてのデータキャリアへ問合せ情報を送り、その結果として、Ｎ個の量の連続するタイムスロットの始まりが決定され；
データキャリアから読取部へ応答情報を送り、各データキャリアがＮ個のタイムスロットのうちの１つを選択して、当該データキャリアを識別する応答情報を送信し；
現行のタイムスロットから次のタイムスロットへの進行を示すタイムスロット進行情報を、読取部からデータキャリアへと送信する。
【０００２】
本発明はさらに、読取部から受信した問合せ情報に対して、Ｎ個のタイムスロットのうちの１つのタイムスロット間に、データキャリアを識別する応答情報で応答するデータキャリアに関する。データキャリアは、読取部から問合せ情報とタイムスロット進行情報を受信する受信手段と、問合せ情報の受信時の機能としてＮ個のタイムスロットの順序を決定するように設計されたタイムスロット決定手段とを含み、タイムスロット進行情報の受信時に現行のタイムスロットから次のタイムスロットへの進行が生じる。データキャリアは、Ｎ個のタイムスロットのうちの１つをリターンタイムスロットとして決定する送信決定手段を含み、リターンタイムスロットにおいてデータキャリアは読取部に応答情報を送る。データキャリアは、応答情報を読取部に送信する送信手段を含む。
【０００３】
本発明はまた、読取部の通信フィールドに配置されるデータキャリアを識別する読取部にも関する。読取部は、通信フィールドに配置されるすべてのデータキャリアに問合せ情報及びタイムスロット進行情報を送る送信手段を含み、問合せ情報の結果として、Ｎ個の量の連続するタイムスロットの始まりが決定され、タイムスロット進行情報の結果として、現行のタイムスロットから次のタイムスロットへの進行が生じる。読取部は、通信フィールド内のデータキャリアから応答情報を受信する受信手段を含み、ここで各データキャリアは、Ｎ個のタイムスロットのうちの１つをリターンタイムスロットとして個々に選択して、データキャリアを識別する応答情報を送信する。読取部は、特定のタイムスロットにおいてデータキャリアから受信した応答情報を評価するタイムスロット評価手段を含む。
【背景技術】
【０００４】
この種の衝突防止方法、データキャリア、及び読取部は、欧州特許第０９５７４４２Ｂにおいて公知である。この特許は、読取部が通信フィールドに配置されるすべてのデータキャリアに、問合せ情報を送る衝突防止方法を開示している。読取部およびデータキャリアの両方において、問合せ情報はＮ個の量のタイムスロットの始まりを初期化する。Ｎ個のタイムスロットの各々は、特定のタイムスロット時間を有する。
【０００５】
公知のデータキャリアの各々は、Ｎ個のタイムスロットのうちの１つをリターンタイムスロットとしてランダムに決定する乱数発生器を備える。特定のデータキャリアが選択したリターンタイムスロットにおいて、データキャリアは、データキャリアのシリアル番号を含む応答情報を送信し、それによりデータキャリアを識別する。各タイムスロットの終わりに、読取部はタイムスロット進行情報を送信し、これに基づいて現行のタイムスロットから次のタイムスロットへと変更が行われる。読取部はデータキャリアを次々に識別し、衝突防止方法の実行の後に、通信フィールド内のデータキャリアのうち１つと同時に直接通信を構築することができる。
【０００６】
タイムスロットの１つにおいて、どのデータキャリアも読取部にその応答情報を送らないことも起こりうる。タイムスロット時間全体を待っていると、衝突防止方法の進行が不必要に遅延する。その理由は、この現行タイムスロット中にはどのデータキャリアも識別され得ないためであり、そのため、このような場合、公知の読取部はタイムスロット進行情報を早期に送出する。この公知のタイムスロット進行情報は、シングルパルスで形成される。タイムスロット進行情報を受け取ると、すべてのデータキャリアは、現行タイムスロットから次のタイムスロットへと変更を行う。２つ以上のデータキャリアが現行タイムスロットにおいて同時に応答することがさらに起こる可能性もある。これによりいわゆる衝突が生じる。衝突が発生するタイムスロットは、通信フィールドに含まれるデータキャリアのうちの１つを識別するのには適切でない。そのため、読取部は、この場合にもデータキャリアにタイムスロット進行情報を再び送信する。
【０００７】
公知の衝突防止方法、公知のデータキャリア、及び公知の読取部を用いた場合には、１つ以上のデータキャリアがタイムスロット進行情報を受け取っていないことが起こり得ることが明らかになった。このことは、例えば、データキャリアが通信フィールドにおいて非常に迅速に移動する場合や、複数のデータキャリアが上下に位置して、受信の際に相互に干渉し合う場合に起こる可能性がある。通信フィールドにおいてデータキャリアのうちの１つだけがタイムスロット進行情報を受け取っていなかった場合であっても、タイムスロット決定手段によってこのデータキャリアにおいて決定されるタイムスロットは、他のデータキャリア及び読取部によって決定されるタイムスロットともはや一致しなくなる。そのため、不具合が生じ、極めて不利である。
【発明の開示】
【発明が解決しようとする課題】
【０００８】
本発明の目的は、第１の段落に記載した一般的なタイプによる衝突防止方法と、第２の段落に記載した一般的なタイプによるデータキャリアと、第３の段落に記載した一般的なタイプの読取部とを生成することであり、これらのすべてを用いることで、前述の不利な状況が回避される。上述の目的を達成するために、この種の衝突防止方法において、タイムスロット進行情報は、タイムスロット特徴情報を含み、この情報は、Ｎ個のタイムスロットのうちの１つを識別し、それぞれの場合において、現行のタイムスロットを確定するために、データキャリアによって評価される。
【課題を解決するための手段】
【０００９】
上記目的を達成するために、この種のデータキャリアでは、タイムスロット進行情報は、Ｎ個のタイムスロットのうちの１つを識別するタイムスロット特徴情報を含み、タイムスロット決定手段は、各場面において現行のタイムスロットを決定するためにタイムスロット特徴情報を評価するように設計されている。
【００１０】
上記目的を達成するために、この種の読取部では、タイムスロット特徴情報を含むタイムスロット進行情報を送信するように読取部が設計される。ここで、タイムスロット特徴情報は、Ｎ個のタイムスロットのうちの１つを識別し、各場面において、現行のタイムスロットを確定するためにデータキャリアによって評価される。
【００１１】
本発明の特徴によって、読取部によって送出されるタイムスロット進行情報が、次のタイムスロットを識別するタイムスロット特徴情報を備えることができる。タイムスロット特徴情報を評価することによって、タイムスロット進行情報が万一受信されなかった場合にも各データキャリアが確定できる。それにより、読取部及び通信フィールドにおけるすべてのデータキャリアにおいて決定されるタイムスロットすべてが合致することが保証され、読取部は通信フィールド内のすべてのデータキャリアを確実に識別することができる。
【００１２】
請求項２及び１２に記載される手段によれば、タイムスロットが短縮されても、タイムスロット特徴情報を含むタイムスロット進行情報が送信される利点が得られる。
【００１３】
請求項３、８及び１３に記載される手段によれば、タイムスロット特徴情報は非常に短い時間のみを必要とし、タイムスロット特徴情報を含む結果として、衝突防止方法全体が延長することはほとんどないという利点が得られる。
【００１４】
請求項４、９及び１４に記載される手段によれば、タイムスロット特徴情報の一連の複数のパルスの結果として連続するタイムスロット番号が識別され、現行タイムスロットを特に単純かつ確実に決定できるという利点が得られる。
【００１５】
請求項５、１０及び１４に記載される手段によれば、チェックサムを評価した結果として、伝送中に発生したタイムスロット番号のエラーを直ちに認識することができるという利点が得られる。
【００１６】
請求項６及び１６に記載される手段によれば、次のタイムスロットへの変更が直ちに発生する場合には、データキャリアが識別されず、衝突防止方法が短縮できるということが、この種のタイムスロット中において確実であるという利点が得られる。
【発明を実施するための最良の形態】
【００１７】
図面に示される実施形態の例を参照して、さらに本発明を説明するが、本発明はこれに限定されない。
【００１８】
図１は読取部１を示す。読取部１は、通信フィールドＨＦ内に配置されるデータキャリア２、３及び４と通信フィールドＨＦを介して通信するように設計されている。図１ではデータキャリア２がより詳細に示されている。通信フィールドＨＦ内に配置される個々のデータキャリア２、３及び４と通信できるようにするためには、読取部１はデータキャリア２、３及び４をまず識別しなければならない。このために衝突防止方法を実行する。衝突防止方法について図２を参照しつつ以下により詳細に説明する。
【００１９】
読取部１は送信手段５を備えている。送信手段５は１３．５６ＭＨｚの周波数を有する通信フィールドＨＦを生成し、読取信号ＲＳを送出するように設計されている。読取信号ＲＳはとりわけ、問合せ情報ＡＩとタイムスロット進行情報ＺＷＩとを含む。ここで、Ｎ個の量のタイムスロットＳの始まりは問合せ情報ＡＩによって決定され、タイムスロット進行情報ＺＷＩの結果として、現行タイムスロットＳから次のタイムスロットＳｉへの進行が発生する。
【００２０】
読取部１はさらに、データキャリア２、３及び４からデータキャリア信号ＴＳを受信する受信手段５を備えている。データキャリア信号ＴＳはとりわけ応答情報ＲＩを含み、各データキャリア２、３及び４は個々に、データキャリア信号２、３又は４を識別する応答情報ＲＩを送信するためにリターンタイムスロットとしてＮ個のタイムスロットＳのうちの１つを選択する。応答情報ＲＩは、これによりデータキャリア２、３又は４に対するシリアル番号により形成され、シリアル番号は、特定のデータキャリア２、３又は４内に格納されており、データキャリア２、３又は４を明確に識別する。この種の送信／受信手段５は、以前より周知であるため、ここでは詳述しない。
【００２１】
読取部１はさらに、マイクロプロセッサの形態の処理手段６を備えている。処理手段６は、送信／受信手段５に接続され、受信情報及び送信すべき情報を処理するように設計される。処理手段６はまたタイムスロット評価手段７を備え、このタイムスロット評価手段７は、タイムスロットＳ中にデータキャリア２、３及び４から受信した応答情報ＲＩを評価するように設計されている。
【００２２】
読取部１はさらに記憶手段８を備えている。衝突防止方法の実行後に、読取部１は、通信フィールドＨＦに配置される個々のデータキャリア２、３及び４と通信し、例えば、データキャリア２、３及び４に格納された情報を読み取り、この情報を記憶手段８に記憶させることができる。
【００２３】
データキャリア２、３及び４は送信／受信手段９を備え、データキャリア信号ＴＳを送信し、読取部１から読取信号ＲＳを受信する。データキャリア２、３及び４は、受動データキャリアによって形成され、電磁通信フィールドＨＦからデータキャリアを操作するための操作電圧とクロック信号を誘導する。応答情報ＲＩと他の情報を送信するために、通信フィールドＨＦは、負荷変調に従って負荷される。
【００２４】
データキャリア２、３及び４はさらに、制御ユニットの形態の処理手段１０を備えている。処理手段１０は、送信／受信手段９に接続され、受信された情報および送信すべき情報を処理するように設計されている。これにより、処理手段１０はまた、タイムスロット決定手段１１を備え、タイムスロット決定手段１１は、問合せ情報ＡＩを受信した瞬間の機能として、Ｎ個のタイムスロットＳの順序を決定するように設計され、タイムスロット進行情報ＺＷＩの受信時に、現行のタイムスロットＳから次のタイムスロットＳｉへの進行が生じる。さらに、処理手段１０は、リターンタイムスロットとしてＮ個のタイムスロットＳのうちの１つを決定する送信決定手段１２を備え、リターンタイムスロット内でデータキャリア２、３又は４は読取部１に応答情報ＲＩを送信する。送信決定手段１２は乱数発生器を備え、この乱数発生器を用いて、問合せ情報ＡＩの各受信後にＮ＝４個のタイムスロットＳ１、Ｓ２、Ｓ３またはＳ４のうち１つがリターンタイムスロットとして決定される。送信決定手段はまた、データキャリアのシリアル番号及び他の情報からもリターンタイムスロットを誘導することができるとも言えるであろう。
【００２５】
データキャリア２、３及び４はさらに、記憶手段１３を備える。記憶手段１３には、特定のデータキャリア２、３、４のシリアル番号とその他の情報が格納されており、情報は、衝突防止方法の実行後に読取部１によって問合せ又は修正することができる。
【００２６】
衝突防止方法の実行におけるデータキャリア２、３、４および読取部１の機能について、実施例と図２とを参照しつつ、以下に詳細に説明する。この実施例によれば、３つのデータキャリア２、３、４が電子トラベルチケットを形成し、地下鉄の料金を支払うために通信フィールドＨＦに進入したと仮定する。データキャリア２、３、４から料金を差し引くために、読取部１はまず、通信フィールドＨＦに配置されるデータキャリアのシリアル番号を決定する必要があり、このため、読取部１は時点ｔ１において問合せ情報ＡＩを送信する。
【００２７】
衝突防止方法によれば、問合せ情報ＡＩの後部エッジＦ１から始まって、Ｎ＝４個のスロットＳ１〜Ｓ４はそれぞれ、例えば、ＴＳ＝５ミリ秒のタイムスロット時間によって決定される。データキャリア２、３及び４のタイムスロット決定手段１１は、この目的のためにエッジＦ１を検出する。送信決定手段１２は、問合せ情報ＡＩを検出するとすぐに、データキャリア２、３又は４に対するリターンタイムスロットとして、４つのタイムスロットＳのうちの１つを決定する。本実施例によれば、データキャリア２の送信決定手段１２は、第1のタイムスロットＳ１を決定し、データキャリア３及び４の送信決定手段１２は、リターンタイムスロットとして第３のタイムスロットＳ３を決定する。
【００２８】
第１のタイムスロットＳ１間の第1のデータキャリア信号ＴＳ１において、第1のデータキャリア２は、そのシリアル番号「２２３００１３」を応答情報ＲＩ１として読取部１に送信する。読取部１のタイムスロット評価手段７は、受信した応答情報ＲＩ１を評価する。応答情報ＲＩ１を完全に受信した後、読取部１は通信フィールドＨＦ内のデータキャリアにタイムスロット進行情報ＺＷＩを送信する。タイムスロット進行情報ＺＷＩを受信すると、データキャリア２、３、４中のすべてのタイムスロット決定手段は、現行タイムスロットＳ１から次のタイムスロットＳ２に切り替える。
【００２９】
通信フィールドＨＦ内に配置される、できる限り多くのデータキャリアの各々から料金が確実に引き出されるように、データキャリア２、３、４の識別とデータキャリア２、３、４から料金を差し引くための次の通信とができるだけ迅速に行われなければならない。この目的のために、衝突防止方法では、通信フィールド内のデータキャリアのうちの１つを識別するのに適切でないタイムスロットＳのタイムスロット時間を短くする機会が設けられる。このために、タイムスロット評価手段７が、特定のタイムスロットＳの始まりにおいて受信された情報の評価によって、データキャリア２、３、又は４の２つ以上が現行タイムスロットＳにおいて応答中であることを確定した場合や、タイムスロット評価手段７が現行タイムスロットＳにおいてデータキャリア２、３、４のいずれも応答していないことを確定した場合に、読取部１は、通信フィールドＨＦ内のデータキャリアにタイムスロット進行情報ＺＷＩを送信する。
【００３０】
本実施例によれば、タイムスロットＳ２又はＳ４のいずれにおいてもデータキャリア２、３、４のいずれもが応答しておらず、かつ、タイムスロットＳ３において衝突が生じる。これは、このタイムスロットＳ３において２つのデータキャリア３及び４がそれらの応答情報ＲＩ２及びＲＩ３を送信しているからである。したがって、読取部１は、タイムスロット時間ＴＳの終了前にタイムスロット進行情報ＺＷＩを送信し、その結果、有利なことに、衝突防止方法のこの最初の部分の実行時間をかなり短縮することができる。
【００３１】
実際には、通信フィールドＨＦ内に配置されるデータキャリアの１つ以上がタイムスロット進行情報ＺＷＩを受信せず、従って、次のタイムスロット進行情報ＺＷＩが受信されるまで次のタイムスロットへの切り替えが行われない事態が生じ得ることが明らかになった。これは特に、データキャリアが上下に配置されていて、受信手段５による受信が妨げられる場合に生じ得る。同様に、これは、データキャリアが通信フィールド内で急速に移動する場合や、データキャリアが通信フィールドのエッジ部に配置されている場合に生じ得る。この場合には、このデータキャリア内のタイムスロットＳは、他のデータキャリア及び読取部内のタイムスロットＳと同期して進行せず、その結果、通信フィールド内のデータキャリアの確実な識別が損なわれる。
【００３２】
読取部１は、各場面において現行タイムスロットＳを確定するために、Ｎ＝４個のタイムスロットＳのうちの１つを識別し、データキャリア２、３、４のタイムスロット決定手段１１によって評価されるタイムスロット進行情報ＺＷＩを送信するように設計される。本実施例によれば、タイムスロット進行情報ＺＷＩは、現行タイムスロットＳの後のタイムスロットＳｉを識別するタイムスロット番号ＺＮを含む。現行の第２タイムスロットＳ２を終了するようにタイムスロット進行情報ＺＷＩが送信されると、タイムスロット番号ＺＮは、第３のタイムスロットＳ３を識別する。その結果、有利なことに、タイムスロット決定手段１１において特に単純な評価が可能となる。
【００３３】
図３及び図４は、読取部１からデータキャリア２、３、４へとタイムスロット番号ＺＮを送信することに関して、当業者に提案する多くのオプションの２つを示す。図３によれば、タイムスロット進行情報ＺＷＩは２つのパルスＰ１及びＰ２を含み、パルスＰ１とＰ２の間の期間（time duration）ＴＮは、各場面において、次のタイムスロットＳｉを識別する。例えば、ＴＮは、ＴＮ＝（ＺＮ＊ＴＫ）＋ＴＫのように決定され得る。ここで、式中ＴＫは一定の期間（time duration）である。データキャリア２、３、４のタイムスロット決定手段１１は、パルスＰ１とＰ２の間の期間を測定することによって、次のタイムスロットＳのタイムスロットナンバーＺＮを決定することができる。各場面でタイムスロット進行情報ＺＷＩにおいて次のタイムスロットＳを明確に識別することによって、通信フィールド内のすべてのデータキャリアの信頼できる識別が確実に行われる。
【００３４】
図４によれば、タイムスロットがＮ＝８個の場合の衝突防止方法に関して、タイムスロット進行情報ＺＷＩは、タイムスロット番号ＺＮと、タイムスロット番号ＺＮのデータセキュリティに対するチェックサムＰＳとを含む。タイムスロット番号が採り得るＺＮ＝１からＺＮ＝８は、４つのパルス位置によってコード化される。これによってタイムスロット番号ＺＮの特に信頼できる伝送が確実に行われる。
【００３５】
４つのタイムスロットＳ１〜Ｓ４に続いて、読取部１は、既に識別されたデータキャリア２にコマンドＣを送り、衝突防止方法のさらなる実行のためにデータキャリア２を休止モードに切り替える。このことにより、すでに識別されたデータキャリア２は衝突防止方法の次に続く第２の部分の間ではもはや応答しないという利点がもたらされ、これにより衝突防止方法全体の実行を促進することができる。
【００３６】
本発明の例によれば、衝突防止方法の第２の部分において、読取部１は、衝突防止方法の第1の部分において識別されなかったデータキャリア３及び４を識別するために、通信フィールドＨＦに配置されたデータキャリア２、３、４にさらなる問合せ情報ＡＩを送信する。データキャリア２は、読取部１によって既に明確に識別されて、休止モードに切り替わっているので、問合せ情報ＡＩにもはや応答しない。データキャリア４は第1タイムスロットＳ１において応答し、データキャリア３は第４のタイムスロットＳ４において応答する。その理由として、衝突防止方法の第２の部分の実行後には、通信フィールドＨＦにおけるすべてのデータキャリア２、３、４が識別されているからである。有利なことに、タイムスロットＳ２及びＳ３もまた衝突防止方法の第２の部分では短縮され、各場面において後続のタイムスロットＳが、タイムスロット進行情報ＺＷＩ中のタイムスロット番号ＺＮによって識別される。
【００３７】
本発明による衝突防止方法は、通信フィールド内に非常に大量の能動又は受動データキャリアが存在する場合にも実行可能であることを言及しておく。必要な限り多くのタイムスロットを決定することも可能である。
【００３８】
タイムスロット評価手段が、タイムスロットの期間の過程において、データキャリアからの応答情報内で伝送エラーを既に確定した場合にも、タイムスロットを短縮することが望ましい場合があることを言及しておく。
【図面の簡単な説明】
【００３９】
【図１】読取部の通信フィールドに配置される３つのデータキャリアを示す図。
【図２】通信フィールドにおけるデータキャリアと読取部とによって送受信される信号を示す図。
【図３】可変的なパルス間隔を有する２つのパルスから形成されるタイムスロット決定情報を示す図。
【図４】複数のパルスから形成され、次のタイムスロットを識別し、チェックサムを含むタイムスロット決定情報を示す図。
【符号の説明】
【００４０】
１  読取部
２、３、４  データキャリア
５、９  送信／受信手段
６、１０  処理手段
７  タイムスロット評価手段
８、１３  記憶手段
１１  タイムスロット決定手段
１２  送信決定手段
【図１】
2005534250.tif 000003
【図２】
2005534250.tif 000004
【図３】
2005534250.tif 000005
【図４】
2005534250.tif 000006
【国際調査報告】
2005534250.tif 000007
2005534250.tif 000008